Podtech/llm-jp-corpus-v4-ja_patent huggingface dataset:
(57)【要約】【課題】電流による工作機械の工具損傷を防止するための装置により、電流による工作機械の工具の腐食損傷を低減する。【解決手段】電流による工作機械の工具の損傷を防止するための装置は、工作機械の工具と加工材（６）との間の有害な電流を遮断する絶縁材（３，４）を有している。【選択図】図１
2010142945.tif 000002
【特許請求の範囲】
【請求項１】
電流による工作機械の工具の損傷を防止するための装置であって、
該装置が、前記工作機械の前記工具と加工材（６）との間の有害な電流を遮断する絶縁材（３，４，５，８）を有していることを特徴とする装置。
【請求項２】
請求項１に記載の装置において、
前記絶縁材（３，４，５）が、絶縁材料からなる少なくとも１つの円筒体からなり、締付け装置（１）で締め付けられた前記加工材（６）の下方に配置されている装置。
【請求項３】
請求項１または２に記載の装置において、
前記絶縁材（８）が、締め付けられた加工材に向いた締付けジョー端部（７）に配置されており、これにより、締付けジョー（２）と締め付けられた前記加工材（６）との間の電流が遮断される装置。
【請求項４】
請求項１から３までのいずれか一項に記載の装置において、
前記締付けジョー端部（７）に絶縁性のセラミックピン（８）が配置されている装置。
【請求項５】
請求項１から３までのいずれか一項に記載の装置において、
前記締付けジョー端部（７）に絶縁性のサファイアピン（８）が配置されている装置。
【発明の詳細な説明】
【技術分野】
【０００１】
本発明は、電流による工作機械の工具損傷を防止するための装置に関する。
【背景技術】
【０００２】
工作機械では、工具に対して電気腐食作用を有する不都合な電流が生じる場合があり、したがって、工具を早期に交換、洗浄し、新たに測定する必要が生じ、これにより、装置の待機時間が長くなる。
【０００３】
このような電流による損傷は、例えば電気的な装置の軸受けにも生じる。
【０００４】
例えば、電気的な装置における軸受けの電流を防止するための方法および装置が、旧東ドイツ国特許第１４０１８５号明細書に記載されている。
【０００５】
ドイツ国特許出願公開第２７１７５９３号明細書は、シャフトの軸受けにおける高周波電流を抑制するための装置を開示している。この課題は、電気的な切換により解決される。
【０００６】
さらにドイツ国特許第２８３９２４６号明細書は、同様に軸受けおよびシャフトにおける高周波電流を抑制するための装置を開示しており、この課題も特殊な電子機構により解決している。
【先行技術文献】
【特許文献】
【０００７】
【特許文献１】旧東ドイツ国特許第１４０１８５号明細書
【特許文献２】ドイツ国特許出願公開第２７１７５９３号明細書
【特許文献３】ドイツ国特許第２８３９２４６号明細書
【発明の概要】
【発明が解決しようとする課題】
【０００８】
本発明の課題は、電流による工作機械の工具の腐食損傷を低減するか、またはなくすことである。
【課題を解決するための手段】
【０００９】
この課題は、本発明によれば、装置が、工作機械と加工材との間の有害な電流を遮断する絶縁材を有していることにより解決される。
【００１０】
有利には、絶縁材は、絶縁材料からなる少なくとも１つの円筒体により形成することができ、締付け装置で締め付けられた加工材の下方に配置してよい。
【００１１】
さらに、例えば絶縁材を、締め付けられた加工材に向いた締付けジョー端部に配置することも可能であり、これにより、締付けジョーと締め付けられた加工材との間の電流は遮断される。
【００１２】
締付けジョー端部には、絶縁性のセラミックピンまたは絶縁性のサファイアピンを配置してもよい。
【発明の効果】
【００１３】
電流による工作機械の工具損傷を防止するための装置において、電流による工具の腐食損傷を低減するか、またはなくすことができるという効果が得られる。
【図面の簡単な説明】
【００１４】
【図１】２つの絶縁体を備える絶縁された加工材を示す斜視図である。
【図２】絶縁された締付けジョー先端を備える絶縁装置を示す斜視図である。
【発明を実施するための形態】
【００１５】
本発明の実施例を図面に基づき説明する。
【００１６】
図１は、図示しない工作機械の締付け装置１を示す。締付けジョー２を備える締付け装置１の上方には２つの絶縁体３および４が概略的に示されており、絶縁体４の上部に円筒状の加工材６が位置する。加工材６の上方に位置し、加工のため用いる工具、例えばドリルまたはフライス盤は図示していない。必要に応じて、異なる厚さの１つ以上の絶縁体３，４を締め付けられた加工材６と工具との間に設けてもよい。材料、例えばプラスチック、セラミックなど、および幾何学形状、例えば厚さ、高さなどは、通過電圧により電流が生じることのないように選択する必要がある。第１の絶縁体３は、加工材が締付け装置１の底部により非接触に締め付けられている場合には省略してもよい。第２の絶縁体４は、締付けジョー２と加工材６とを電気的に分離させるための役割を果たす。
【００１７】
別の実施例を図２に示す。加工材６と締付け装置１との間にはディスク状の絶縁体５が設けられている。
【００１８】
さらに、加工材６に向いた締付けジョー端部７には、例えばサファイアからなる絶縁ピン８が配置されており、絶縁ピン８は、同様に適宜な電気絶縁性を有する。
【００１９】
本発明により得られる利点は、特に工作機械の待機時間が著しく短縮されることである。特に、例えば少なくとも２つの加工材を単一の工具により加工することができる。これは従来技術では不可能である。
【符号の説明】
【００２０】
１  締付け装置
２  締付けジョー
３,４，５  絶縁体
６  加工材
７  締付けジョー端部
８  サファイアピン
【図１】
2010142945.tif 000003
【図２】
2010142945.tif 000004
(57)【要約】      （修正有）【課題】待機中や休憩中競技用のステックは乱雑していた、このため踏まれたり自分のステックを探しにくかったりした。以上のような欠点をなくす。【解決手段】競技場に待機中や休憩中に乱雑しておいた競技用のステックやボールを整頓して置きこれらのステックを踏まれ無いように安定台１に柱２を立て上に受け板３を取り付け蝶ナット４で固定し受け板３は競技用ステック７の柄を安定させる柄受け切り込み５を複数設けこれに競技用ステックの柄を安定させる。【選択図】図２
2010142617.tif 000002
【特許請求の範囲】
【請求項１】
安定を兼ねた台（１）に柱（２）を立て上に受け板（３）を取り付け蝶ナット（４）で固定する競技用ステック立て具
【発明の詳細な説明】
【技術分野】
【０００１】この発明は主として技術用のステックの下部を安定台に乗せ柄の部分を上の受け板に安定させる競技用ステック立て具である。
【背景技術】
【０００２】従来競技用の待ち時間中や休憩中の競技用のステックの整理整頓具は無かった。
【発明の開示】
【発明が解決しようとする課題】
【０００３】今まで待機中や休憩中競技用のステックは乱雑していた、このため踏まれたり自分のステックを探しにくかったりした。本発明は、以上のような欠点をなくすためにされたものである。
【課題を解決するための手段】
【０００４】安定台（１）に支柱（２）を立て上部に安定板（３）を取り付け蝶ナット（４）で固定する。
本発明は、以上の構成よりなる競技用ステック立て具である。
【発明の効果】
【０００５】競技用のステックを立てかけるので踏まれる事もなく出技する際すぐに自分のステックを持ち出すことができる。
【発明を実施するための最良の形態】
【０００６】以下、本発明を実施するための最良の形態について説明する。
安定台（１）に支柱（２）を立て安定板（３）を上部に取り付け蝶ナット（４）で固定して使用する。安定板（３）に複数の切り込み（５）を設置し複数のステック（７）又は（８）の柄を安定する。凹み（６）を複数つけ使用するボールを置くことも出来る。
蝶ナットで組み立て分解が簡単にでき競技場への運搬、帰りの運搬もてがるにできる。
【図面の簡単な説明】
【０００７】
【図１】本説明の斜視図である。
【図２】本発明のゲートボール用のステック使用の部分斜視図である。
【図３】本発明のグランドゴルフ用のステック及びボールを保存した側面図である。
【符号の説明】
【０００８】１  安定台
２  支柱
３  安定板
４  蝶ナット
５  柄受け切り込み
６  ボール受け凹み
７  ゲートボール用ステック
８  グランドゴルフ用ステック
９  グランドゴルフ用ボール
【図１】
2010142617.tif 000003
【図２】
2010142617.tif 000004
【図３】
2010142617.tif 000005
(57)【要約】【課題】  大玉のぶどうの皮を簡単に迅速かつ清潔にむき、果肉に直接触れる事なく衛生的に食することが出来る食器具を提供する。【解決手段】  ４センター柄部の長手方向の一方に２ａサイド保護部と２ｂサイド保護部に挟まれた１刃部を有し、他方に、５くり貫き部を有することを特徴とした食器具。【選択図】図１
2010142618.tif 000002
【特許請求の範囲】
【請求項１】
柄部の両端に刃部とくり貫き部を備える食器において、前記刃部は、刃部本体の両サイドに互いに平行に設けられた一対のサイド保護部との中間に平行かつ、直角上向きの刃部であり、サイド保護部と前期刃部は両サイド保護部に対して刃部の先端が下方に所定の角度を有することを特徴とする食器具。
【請求項２】
前記くり貫き部はセンター柄部を境に前記刃部の反対側にあり、開口部を上に向けた、中空半球状のくり貫き部を有することを特徴とする食器具。
【発明の詳細な説明】
【技術分野】
【０００１】  本発明は、巨峰等の大玉のぶどうを食するときに使用する食器具に関するものである。
【背景技術】
【０００２】  従来、巨峰等の大玉のぶどうを食べるには、皮はむかずにそのまま口中に入れるか、指先で皮をむき食べるかの方法をとっていた。
【発明の開示】
【発明が解決しようとする課題】
【０００３】    そのために次のような問題点があった。
（イ）皮をむかずに口中に入れるので、近年問題となっている残留農薬等の心配がある。
（ロ）果肉にしっかり付着している皮をむく作業はたいへん面倒であった。
（ハ）皮をむくにも、果汁の多い果物であり、むいている最中に果汁があふれ出てたいへん扱いにくかった。
（ニ）こうして苦労して取り出した果肉を素手で口中に入れるのは衛生的とは言えず、行儀、見栄えの悪い所作であった。
本発明は以上の問題点を解決するためになされたものである。
【課題を解決するための手段】
【０００４】  ４センター柄部の長手方向の両端部よりその延長方向に向かって３ａ１刃部取付け柄部及び３ｂ５くり貫き部取付け柄部が取付けてあり、それぞれ、３ａ１刃部取付け柄部の先端には、２ａサイド保護部及び２ｂサイド保護部に挟まれた形で中央に適度の間隔をもった１刃部が付いており、３ｂ５くり貫き部取付け柄部の先端には５くり貫き部が付いている。【０００５】  ２ａサイド保護部及び２ｂサイド保護部は３ａ１刃部取付け柄部の先端から少し下向きにカーブする一般的なフォーク状のカーブをもって形成される。【０００６】  ２ａサイド保護部及び２ｂサイド保護部に挟まれ適度の間隔をもった中央に、３ａ１刃部取付け柄部の先端から出ている１刃部は、刃が直角上向きに付いており、刃の先端は下向きに適度な角度が付いている。【０００７】  １刃部の取り付けは、２ａサイド保護部と２ｂサイド保護部の間の部材を刃型に形成して直角上向きにひねってもよいし、別途刃型状の形状の部材を作り直角上向きに溶着してもよい。【０００８】  ３ｂ５くり貫き部取付け柄部の先端に取付ける５くり貫き部は、大玉のぶどうをくり貫くのに使用するが、これは一般的に販売されている果実用のくり貫き器であり、本発明と関係はない。ただし、本発明の１刃部の付いたぶどう皮むき器と一連の作業にそって使用した場合その効果が発揮される。
【発明の効果】
【０００９】  簡単にかつ綺麗に清潔に手の指を直接触れる事なくぶどうの皮をむくことができ、皮をむいた中の果肉にも直接手を触れること無く衛生的に速く大玉のぶどうを食することが出来る。
【発明を実施するための最良の形態】
【００１０】  以下、本発明の形態について図面に基づいてその作用効果を簡単に説明する。
大玉のぶどうを食するにあたって本発明を使用する場合、［図３］及び［図４］に示すように１刃部の先端を大玉のぶどうのヘタが付いていた穴に１刃部を上向けに差し入れる【００１１】  この時、１刃部は２ａサイド保護部と２ｂサイド保護部に対して先端が下方に適度な角度が付いているので、大玉のぶどうのヘタの穴に１刃部を差し入れると必然的に２ａサイド保護部と２ｂサイド保護部とに挟まれた１刃部が大玉のぶどうの皮の内側から添えられることになる。【００１２】  この状態で大玉のぶどうを皮の上から指先で持ち、１刃部が大玉のぶどうの皮の内側をすべるように半回転させると、大玉のぶどうは表皮及び表皮に近い部分の果肉を半周切断された状態になる。【００１３】  こうして皮が半周切断された状態の大玉のぶどうに、５くり貫き部を［図５］のように挿入して皮の内側に添って１回転させると、きれいに果肉のみを形を崩さず、果汁も流れ出さず取り出すことが出来る。これを口中へ運べば果汁には全く手を触れずに食することが出来る。【００１４】  また、大玉のぶどうの種子がありこれを出したい場合は１刃部をぶどうのヘタの穴に差し入れる時、角度を調節して果肉の中に少し深く差し込むと果肉表面部分が深めに切り込まれて容易に種子が出せる。
【図面の簡単な説明】
【００１５】
【図１】本発明の斜視図出ある。
【図２】本発明の正面図出ある。
【図３】本発明の１刃部を大玉のぶどうのヘタの穴に挿入した状態の部分正面図である。
【図４】本発明の１刃部を大玉のぶどうのヘタの穴に挿入した状態の部分斜視図である。
【図５】本発明によって切り込みが入った大玉ぶどうの皮に、５くり貫き部で８大玉のぶどう果肉部をすくい取る図である。
【符号の説明】
【００１６】１    刃部
１ａ  刃部取付け部
２ａ  サイド保護部
２ｂ  サイド保護部
３ａ１刃部取り付け柄部
３ｂ５くり貫き部取付け柄部
４    センター柄部
５    くり貫き部
６    大玉のぶどう
７    大玉のぶどうの皮
８    大玉のぶどうの果肉
【図１】
2010142618.tif 000003
【図２】
2010142618.tif 000004
【図３】
2010142618.tif 000005
【図４】
2010142618.tif 000006
【図５】
2010142618.tif 000007
(57)【要約】【課題】  パソコン入力時にパソコン横に設置し、楽な姿勢で入力できる。また、使用後は折り畳んで  本立てに本の感覚で収納することを特徴とした手軽な原稿台を提供する。【解決手段】  一枚の厚紙を４ヵ所  折り曲げ、台板部分にマジックテ−プを設ける。使用時には  台板、立て板、表面板（原稿を載せる）、原稿受け、に広げて立てる。収納時には折りたたむことを特徴とする。【選択図】図１
2010142630.tif 000002
【特許請求の範囲】
【請求項１】
長尺板状の一枚の厚紙を、台板を基にして垂直状に折り曲げ、更に台板に対して傾斜状に折り返して表面板を形成し、その下端部を折り返して原稿受けを形成したことを特徴とする原稿台。
【発明の詳細な説明】
【技術分野】
【０００１】  本発明は、パソコン、ワ−プロを打つ際の  原稿台に関するものである。
【背景技術】
【０００２】  従来  パソコンを打つ際の原稿は、原稿台の上にセットして打っていたが  原稿台が高価なため机の上に直に置いた状態で打っていた。
【発明の開示】
【発明が解決しようとする課題】
【０００３】  従来  パソコンを打つ際には  原稿を机の上に置いた状態で首や目を斜めに動かして打っていたが、そのために  肩凝り等に悩まされることになり、また  数多くの原稿台は高価で特別なものとして認識され、どこにでもある物ではなく簡単に手に入れることができないものであった。
本発明は以上の問題点を解決するためになされたものである。
【課題を解決するための手段】
【０００４】  上記問題点を解決するため本発明は  長尺板状の一枚の厚紙を台板を基にして垂直状に折り曲げ、更に台板に対して傾斜状に折り返して表面板を形成し、その下端部を折り返して原稿受けを形成したことを特徴とする原稿台。
収納時には折り畳むことができる。
以上の構成によりなる原稿台。
【発明の効果】
【０００５】  本発明は  紙製品であり、本などと一緒に収納することができる。原稿と共に机の上に置き、使用時には広げるだけで簡単に設置することができる。傾斜はマジックテ−プにより  動くことなく好きな角度で使用することができる。
【発明を実施するための最良の形態】
【０００６】以下、本発明の実施の形態を説明する。
図３に示したように
１枚の厚紙を設ける。台板（１）から後ろ側立て板（２）へ内折りに設け、後ろ側立て板（２）から表面板（３）へ内折りに設け、表面板（３）から折り曲げ底部（４）へ外折りに設け、折り曲げ底部（４）から原稿受け（５）へ外折りに設ける。
台板（１）にマジックテ−プ凹面（６）を貼り、折り曲げ底部（４）にマジックテ−プ凸面（７）をマジックテ−プ凹面（６）と合う位置に貼る。
本発明は以上のような構造である。
本発明を使用するときは、図４で示した状態から開き、（１）を台板とし、（２）を後ろで立て板とし、（３）を表面板原稿立てとし、（４）（５）は原稿受けとする。
図２で示したように、マジックテ−プ凹面（６）とマジックテ−プ凸面（７）を好きな傾斜で合わせる。
【図面の簡単な説明】
【０００７】
【図１】  本発明の完成図（表面斜視図）
【図２】  本発明のマジックテ−プ（６）（７）を外した図
【図３】  本発明の広げた図
【図４】  本発明の折り畳んだ図
【符号の説明】
【０００８】１  台板
２  後ろ側立て板
３  表面板（原稿を載せる面）
４  折り曲げ底部
５  原稿受け
６  マジックテ−プ凹面
７  マジックテ−プ凸面
【図１】
2010142630.tif 000003
【図２】
2010142630.tif 000004
【図３】
2010142630.tif 000005
【図４】
2010142630.tif 000006
(57)【要約】【課題】  紙コップなどの飲料の容器を机上にそのまま置いて、誤って書類やキーボードの上にこぼしてしまうというリスクを減らし、また、原稿などの文書類をパソコンに入力する場合、原稿をそのまま机上に置くと入力が非常にし辛いばかりでなく、他の書類に紛れてしまう、という不便さを解消するための机上マルチホルダー付きスタンドを提供する。【解決手段】  可動式アームの先端に永久磁石を組み込んだプレートを取り付け、そこに使用用途に応じて、同じく永久磁石の付いたドリンクホルダーや原稿固定盤を装着する。【選択図】図２
2010142627.tif 000002
【特許請求の範囲】
【請求項１】
永久磁石付きプレートの付いた可動式アームの根元にデスクの縁やパーテーションを挟み込む本体固定用クリップを設け、永久磁石付きプレートの付いた可動式アームの先端に永久磁石付きのクリップ付き原稿固定盤もしくはドリンクホルダーを常備する机上マルチホルダー付きスタンド。
【発明の詳細な説明】
【技術分野】
【０００１】  本発明は、原稿や紙コップなどのホルダー（固定具）に関するものである。
【背景技術】
【０００２】  従来、原稿や紙コップなどは直接机上に置くしかなかった。
なお、簡易式の机上立て掛け型の原稿立ては知られている。（特許文献１参照）
ドリンクホルダーとしては、壁面取り付けタイプは知られている。（特許文献２、特許文献３参照）
【特許文献１】  特開２００２−１５３３３５
【特許文献２】  実用新案登録  第３０６１０４１号
【実用文献３】
実用新案登録  第３０３９８８９号
【発明の開示】
【発明が解決しようとする課題】
【０００３】  紙コップなどの飲料の容器を机上にそのまま置くと、誤って書類やパソコンのキーボードの上にこぼしてしまうリスクがある。また、原稿などの文書類をパソコンに入力する場合、原稿をそのまま机上に置くと入力が非常にしにくいばかりでなく、他の書類にまぎれてしまうといったリスクがある。
本発明は以上の問題点を解決するためになされたものである。
【課題を解決するための手段】
【０００４】  可動式アームの先端に永久磁石を組み込んだプレートを取り付け、そこに使用用途に応じて、同じく永久磁石のついた原稿固定盤やドリンクホルダーを装着する。さらに、可動式アームの根元にデスクの縁やパーテーションを挟み込んで本体を固定するクリップを設ける。
以上の構成よりなる机上マルチホルダー付きスタンドである。
【発明の効果】
【０００５】  飲料の入った容器や原稿をそのまま机上に置いて原稿を汚したり、ＯＡ機器を故障させてしまうリスクを大幅に減少させるばかりでなく、机上のスペースをより有効的に使用することができるため、オフィスワークの効率アップを図ることができる。
【発明を実施するための最良の形態】
【０００６】以下、本発明の実施の形態を説明する。
（イ）可動式アーム（１）の先端に永久磁石付きプレート（２）を設ける。
（ロ）使用用途に応じてクリップ付き原稿固定盤（３）もしくはドリンクホルダー（４）をプレートの先端部分に装着する。
（ハ）可動式アームの根元に本体固定用クリップ（５）を設ける。
本発明は以上のような構造である。
本発明を使用するときは、可動式アーム（１）の先端にある永久磁石付きプレート（２）にクリップ付き原稿固定盤（３）やドリンクホルダー（４）を装着し、デスクの縁やパーテーションを本体固定用クリップ（５）で挟み込んで固定して使用する。
【図面の簡単な説明】
【０００７】
【図１】  本発明の斜視図
【図２】  本発明の使用状態の一例を示す斜視図
【図３】  本発明の使用状態の一例を示す斜視図
【符号の説明】
【０００８】（１）可動式アーム（２）永久磁石付きプレート（３）クリップ付き原稿固定盤
（４）ドリンクホルダー（５）本体固定用クリップ
【図１】
2010142627.tif 000003
【図２】
2010142627.tif 000004
【図３】
2010142627.tif 000005
(57)【要約】      （修正有）【課題】洋式トイレにて、男性が勃起時に腰掛けて排尿をする場合において、小便を確実に便器のボウル内に導入できる、構造が簡単な男性用勃起時排尿補助具を提供する。【解決手段】プラスチック又は、紙製にてラッパ型口元２の尿瓶の入り口を斜めカット３した形状にて成形加工することによって立体的形態の排尿補助具１にし、これを男性器に嵌めて使用することで勃起時でも便器外部に小便が飛散し便器や床などを汚すことを防止する。【選択図】図１
2010142625.tif 000002
【特許請求の範囲】
【請求項１】
プラスチック製、又は、紙製の尿瓶型（１）の口部（２）にななめにカット（３）を設けて成形された物を特徴とする男性勃起時補助具。
【発明の詳細な説明】
【技術分野】
【０００１】  この発明は、男性が勃起時に洋式トイレにて排尿をするために使用する、プラスチック製、又は、紙製を素材とした補助具に関するものである。
【背景技術】
【０００２】  従来は、男性が勃起時に洋式トイレにて排尿をする時は、立ってするか便座に座ってするかにかかわらず、男性の一物を押えてする必要がある。その時に圧迫され、大変出しにくく不快感があった。
【発明の開示】
【発明が解決しようとする課題】
【０００３】  これは次のような欠点があった。
従来、男性が勃起時に洋式トイレにて排尿するときは、男性の一物を押えてするが、手元が狂うと飛散して便器や床を汚してしまう事があった。
本発明は、以下のような欠点をなくすためになされたものである。
【課題を解決するための手段】
【０００４】  補助具本体（１）のななめに開いたラッパ型の尿瓶のようなコップ（２）に、その口元をななめにカット（３）を設けた。
本発明は、以上のような構成よりなる洋式トイレ用男性勃起時排尿補助具である。
【発明の効果】
【０００５】  補助具の下部が半ラッパ型（２）なので、便座の開いた端が座って前方へスライドさせた時にひっかかる（図３）ので排尿時には半ラッパ部分から便器内に垂れ流されます。
その構成から飛散による便器や床を汚す事無く排尿する事が出来ます。
【発明の実地するための最良の形態】
【０００６】  以下、本発明を実地するための最良の形態について説明する。
補助具本体（１）のななめに開いたラッパ型の尿瓶のようなコップ（２）に、口元をななめにカット（３）を設ける。
本発明は、以下のような構成でこれを使用する時は、便座に座る前に男性の一物にかぶせ、その時に半ラッパ型の開いた方を下にして深く腰掛けます。次に自分の前方へスライドさせ、半ラッパ型の開いた部分と便座の開いた端がひっかかる様にします。後は、楽な姿勢で排尿して下さい。
【図面の簡単な説明】
【０００７】
【図１】  本発明の斜視図である。
【図２】  本発明の側面図である。
【図３】  本発明の使用状態を示した側面図である。
【符号の説明】
【０００８】１  本体
２  ラッパ型口元
３  ななめのカット部
【図１】
2010142625.tif 000003
【図２】
2010142625.tif 000004
【図３】
2010142625.tif 000005
(57)【要約】      （修正有）【課題】腕時計の金属部の温度が肌に伝わりづらくする。【解決手段】布、ビニール、プラスティック、シリコンなど温度が伝わりづらい素材で，腕時計の裏側と同じ形状で形成したものを時計の裏側に貼る。時計側は貼って剥がせるテープ類や粘着財を使用し、肌に触れる側は柔らかい素材のものにする。または布、ビニール、プラスティック、シリコンなど柔らかく、温度が伝わりづらい素材でリストバンドの形状で作り、時計の下に腕に巻く。【選択図】図１
2010142621.tif 000002
【特許請求の範囲】
【請求項１】
腕時計本体裏側と同じ形状の薄いシート状のもので、腕時計の裏側に貼って使用する。腕時計の温度を肌に感じさせないものである。
【請求項２】
腕に巻いて使用する。リストバンドのような形状で、腕時計の下にまいて、腕時計の温度を肌に感じさせないものである。
【発明の詳細な説明】
【技術分野】
【０００１】腕時計本体及びバンドの裏に付けるシートに関するもの。
腕時計本体及びバンドの下、腕に巻いて使用するものに関するもの。
【背景技術】
【０００２】寒冷時場所、熱暑時場所で、金属の腕時計をしていると、金属の温度が肌に伝わり、辛い思いをしたので、時計を腕からはずした。
【発明の開示】
【発明が解決しようとする課題】
【０００３】金属の腕時計の温度が肌に直接伝わらないようにする。
【課題を解決するための手段】
【０００４】腕時計と肌の間に断熱素材を入れることで、解決を試みる。
【発明の効果】
【０００５】冷えや暑さによる腕の痛みを予防することが期待。
【発明を実施するための最良の形態】
【０００６】１．  腕時計の裏側と同じ形状で、薄型にする。布、ビニール、プラスティック、シリコンなど温度が伝わりづらい素材で作る。時計側は貼って剥がせるテープ類や粘着剤を使用し、肌に触れる側は柔らかくする。
２．  リストバンドの形状で、時計の下に腕に巻く。布、ビニール、プラスティック、シリコンなど柔らかく、温度が伝わりづらい素材で作る。
○柄、模様、フリルなどの飾りをつけたもの、シンプルなものなど
【実施例】
【０００７】添付図面に従って一実施例を説明する。
図１は１の本体の正側面である。
本体の裏面である。貼って剥がせるテープを付けるか、粘着剤を塗布したもの。
図２は２の本体の正側面である。
【図面の簡単な説明】
【０００８】
【図１】１．正側面図  裏面図
【図２】２．正面図
【図１】
2010142621.tif 000003
【図２】
2010142621.tif 000004
(57)【要約】【課題】  マスク本体の中央部を呼吸筒に形成し、筒上口部、下向部方向より冷却な酸素を吸引し呼吸しやすくするガーゼマスクの二分呼吸筒を提供する。【解決手段】  ガーゼ１００パーセントのマスク形Ａ面中央部に呼吸筒を設け、前記呼吸筒形成には、一定のマスク形サイズをＡ面とＢ面に分け、Ａ面は、２枚折りガーゼ３枚重ねにした表面を左右から中央部に向け撫で寄せ、膨らみ自在とし、２枚折りガーゼ１枚からなるＢ面に併せ、略半円筒形に縫い上げして設けた立体的マスクの円筒内を通過し、冷却酸素を直接鼻腔内部に吸引することができる。【選択図】図１
2010142628.tif 000002
【特許請求の範囲】
【請求項１】
ガーゼ１００パーセントのマスク形Ａ面中央部に呼吸筒を設け、前記呼吸筒形成には、一定のマスク形サイズをＡ面とＢ面に分け、Ａ面は、２枚折りガーゼ３枚重にした表面を左右から中央部に向け撫で寄せ膨らみ自在とし、２枚折りガーゼ１枚のＢ面に併せ、略半円筒形に縫い上げして設けた立体的マスクの円筒内を通して酸素吸引自在にし、冷却酸素を直接鼻腔内部に送り脳下垂体を冷却することを特徴とするガーゼマスクの二分呼吸筒。
【発明の詳細な説明】
【技術分野】
【０００１】  本発明は、マスク本体の中央部を呼吸筒に形成し、筒上下方向より冷却な酸素を呼吸しやすくしたことを特徴とするガーゼマスクの二分呼吸筒に関するものである。
【背景技術】
【０００２】  従来、マスクは外気閉塞形が大半であり、合成繊維で加工されているものや、口部全体を大きくふくらみを持たせ、呼吸しやすくするなどして外気進入対策を施したものがある。
【発明の開示】
【発明が解決しようとする課題】
【０００３】  以上述べた従来の閉塞形マスクでは、マスク内における中和した二酸化炭素の暖気が鼻腔内部に吸引され、隣接する脳下垂体の脳内冷却作用を妨害する、マスクに対する拒絶反応を招いていたのである。（第３図参照）【０００４】  例えば、医学によると鼻から呼吸すると、ちょうど脳の真下の脳下垂体が冷却される。鼻呼吸できない失患が口呼吸することで、冷却効果がなくなり脳内の温度が上昇し、そのために脳内風邪で熱が出ているのと同じ状態になり、集中力が低下する原因になるとされている。外気閉塞マスクを使用して起こる症状と類似しているのである。【０００５】  本発明は、医学をヒントにした構成であり、このような従来の構成が有していた問題を解決しようとするものである。故に冷却酸素をマスク内において呼吸しやすくしたマスクの二分呼吸筒本体は、排気を効果的に排出実現することを目的とするものである。
【発明が解決しようとする手段】
【０００６】  そして、本発明は上記目的を達成するために、ガーゼ１００パーセントのマスク形Ａ面中央部に呼吸筒を設け、前記呼吸筒形成には一定のマスク形サイズをＡ面とＢ面に分け、Ａ面は、２枚折りガーゼ３枚重ねにした表面を左右から中央部に向け膨らみ自在とし、２枚折りガーゼ１枚のＢ面に併せ、略半円筒形に縫い上げして設けた立体的マスクによる作用は、直接上方口より、鼻呼吸、下方口より口呼吸をするように設けたものである。
【０００７】  上記第１の課題解決手段による作用は次の通りである。すなわち、マスク離れの原因は、体内を循環して燃え尽くした、無色無臭の重い暖かい二酸化炭素がマスク内で、更に中和酸素化され、鼻腔内に充満することにより、脳内微熱症状となり、集中力低下を招いていたものであり、従って解決策としてマスク中央部に呼吸筒を立体化させ、前記呼吸筒の空間に於ける作用は、上述の通りで上方口より鼻呼吸、下方口より口呼吸をするように設けたものである。
【発明の効果】
【０００８】  上述したように本発明のマスク本体は、息苦しい従来マスクの一箇所集中呼吸ではなく、筒上下二箇所に分離しての呼吸であり新鮮で冷却な酸素により、脳内放熱後、さらに扁桃腺を暖めることにより咽頭粘膜の弱いマスク離れの学童を、寒風冷気から守る効果があるマスク本体を提供できる。
【０００９】  また、寒風接触による顔面肌荒れ防止策として、マスク中央部に呼吸筒を設けることにより、従来マスクで不可能であった、二酸化炭素が頬部流出するのを抑えることができる。そして、酸化原因による化粧くずれ、肌荒れ等が完全防止できるのである、
【発明を実施するための最良の形態】
【００１０】  また、マスクによる使用上の注意事項として一部を除き各社が包装袋にあげているのは、下記の通りである。顔面のかゆみ、カブレ、刺激、赤み、腫れ等であり、また、マスクの悪臭により気分が悪くなった場合直ちに使用を中止、医師に相談するとある。但し、本発明のガーゼ１００パーセントマスクには、前記症状は、皆無に等しい効果が得られているのである。【００１１】  以下、本発明の実施の形態を説明する。【００１２】  図においては、マスク形Ａ面５の２枚折り、３枚重ねガーゼからなる、二分呼吸筒１の上口部２より鼻呼吸、下口部３より口呼吸するようにそれぞれ形成され、Ｂ面６に併せ縫い上げした縫目糸４により、頬部方向への二酸化炭素９の流出が密閉されている。【００１３】  ７は、紐通し孔、８は、紐で本体マスクの左右に固着されている。【００１４】  以下、上記構成の動作を説明する。鼻呼吸により空気中から吸引する冷却酸素は、略半円筒形１の上方口鼻呼吸部２より、直接鼻腔内に吸引され、隣接する脳下垂体を冷却する。前記脳下垂体は、全脳に向けての冷却作用により、脳内暖気を放熱するという効果を発揮する。また、冷却を終えた酸素を気道１０により肺に送り、体内循環後二酸化炭素となり、鼻呼吸又は口呼吸により円筒内を通過して排気され、マスク内に二酸化炭素の充満する中毒の危険性は無く、長時間使用してもマスクに対する嫌悪感が見られず使用上極めて大なる効果を有するガーゼマスクの二分呼吸筒を提供できるものである。
【図面の簡単な説明】
【００１５】
【図１】  本発明の斜視図
【図２】  本発明の使用状態を示す側面図
【図３】  第３図は従来マスクの側面図
【図４】  本発明の使用状態を示す斜視図
【符号の説明】
【００１６】  １  二分呼吸筒
２  鼻呼吸部
３  口呼吸部
４  縫目糸
５  Ａ面
６  Ｂ面
９  中和酸素
１０  気道
１１  冷却脳
１４  暖熱酸素
１５  断熱脳
１９  口腔内部
１３  酸素
１７  放熱
【図１】
2010142628.tif 000003
【図２】
2010142628.tif 000004
【図３】
2010142628.tif 000005
【図４】
2010142628.tif 000006
(57)【要約】【課題】  キーボード装置からキートップを分解しやすくし、キーボード装置とキートップのクリーニングをしやすくする。【解決手段】  キーボード本体１からキーボード上カバー２を分解すると、キーボード上カバー２に備えられているキートップストッパー爪押さえ４でキートップストッパー爪７の上部にある突起部８が内側に押し込まれ、キートップストッパー爪７を内側に縮小させてキートップ支持部５から外されるため（図５参照）、キーボード本体１のキートップ支持部５からキートップ３全てを一括に外す事ができる。【選択図】図５
2010205241.tif 000002
【特許請求の範囲】
【請求項１】
キーボード本体とキートップの間にキーボード本体と個別に分解できるキーボード上カバーを挿み入れ、キーボード本体からキーボード上カバーを分解すると同時に、キートップ支持部からキートップ全てを一括に外せる構造にしたキーボード装置
【請求項２】
キーボード上カバーに、それぞれのキートップ３の刻印とそれに対応する場所へ同様の刻印を印字したキーボード装置
【発明の詳細な説明】
【技術分野】
【０００１】  本発明は、キーボード装置に関したものであり、特にキーボード装置とキートップの分解に関するものである。
【背景技術】
【０００２】  キーボード装置は構造上、キートップ同士の隙間から埃やゴミが入りやすく、またそのキートップ同士の隙間が狭いため掃除がしにくく、衛生的に不安が残る。【０００３】  キーボードを掃除するためには、キーボードからキートップを分解し、クリーニングする方法があるが、その際にはキートップ抜き取り器具や、マイナスドライバーなどで、キートップを抜き取る必要がある。【０００４】  キートップを抜き取る器具はいくつか考案されているが、いずれもキートップを一つ一つ抜き取らねばならなく、大変手間がかかる。（特許文献１、特許文献２参照）【０００５】
【特許文献１】実開平７−４４３０８号公報
【特許文献２】実開平５−４４４７３号公報
【発明の開示】
【発明が解決しようとする課題】
【０００６】  キーボード装置からキートップを分解しやすくし、キーボード装置とキートップのクリーニングをしやすくする。
【課題を解決する為の手段】
【０００７】  キーボード本体１からキーボード上カバー２を分解すると、キーボード上カバー２に備えられているキートップストッパー爪押さえ４でキートップストッパー爪７の上部にある突起部８が内側に押し込まれ、キートップストッパー爪７を内側に縮小させてキートップ支持部５から外されるため（図５参照）、キーボード本体１のキートップ支持部５からキートップ３全てを一括に外す事ができる。
【発明の効果】
【０００８】  構造上一番汚れやすいキーボード上カバー２とキートップ３全てを簡単に分解できるため、キーボードのクリーニングが楽になる。
【発明を実地する為の最良の形態】
【０００９】  キーボード本体１からキーボード上カバー２を分解すると、キーボード上カバー２に備えられているキートップストッパー爪押さえ４でキートップストッパー爪７の上部にある突起部８が内側に押し込まれ、キートップストッパー爪７を内側に縮小させてキートップ支持部５から外されるため（図５参照）、キーボード本体１のキートップ支持部５からキートップ３全てを一括に外す事ができる。
【００１０】  外されたキートップ３は洗濯ネットなどに纏めて入れて、洗濯機にかけると、汚れや雑菌などを効果的に洗浄できる。キーボード上カバー２はスポンジと台所用中性洗剤等で洗うと良い。
【００１１】  キートップ３、キーボード上カバー２を十分に乾燥させ、キーボード上カバー２をキーボード本体１に装着し、キーボード上カバー２に描かれた刻印用ガイドプリント１０に沿って、それぞれのキートップ刻印１１と対応したキートップ３を装着する。
【図面の簡単な説明】
【００１２】
【図１】  キーボード装置本体を示した平面図である。
【図２】  キーボード装置本体を示した分解斜視図である。
【図３】  キーボード装置とキートップを示した拡大側面断面図である。
【図４】  キーボード装置にキートップを装着した状態を示した拡大側面断面図である。
【図５】  キーボード装置からキートップを分解させた状態を示した拡大側面断面図である。
【符号の説明】
【００１３】１キーボード本体
２キーボード上カバー
３キートップ
４キートップストッパー爪押さえ
５キートップ支持部
６コード
７キートップストッパー爪
８突起部
９シート状弾性部材
１０刻印用ガイドプリント
１１キートップ刻印
【図１】
2010205241.tif 000003
【図２】
2010205241.tif 000004
【図３】
2010205241.tif 000005
【図４】
2010205241.tif 000006
【図５】
2010205241.tif 000007
(57)【要約】      （修正有）【課題】家屋・マンション・店舗内の人体に及ぶ異常の発生または強盗の被侵犯後、中にあった人々は犯人に、言動など一切の抑止を受け、この状況下で犯人に感知されず、如何に無事に突破口を作り、人々を救済に結び着ける、スイッチによる防犯異常ライトを提供する。【解決手段】人体に及ぶ異常の発生または強盗の侵犯に伴い、その場の人々の言動など一切は抑止される。しかし、この状況下を打破し、救済の道を着けるための行動をとる。この機械は、犯人が与える死角が必ずある、この時を利用して屋外に設置してある、近隣に危急を知らせ救援を得るための、「防犯異常ライト」このスイッチの操作を極限まで簡素化し、指先の微動・無音の操作で作動させ、近隣の人々によって官憲の出動の要請依頼を行う。この装置を核に近隣地域相互の、防犯の一体化と強化する。【選択図】なし【特許請求の範囲】
【請求項１】
スイッチと家庭用電源使用で屋外設置の防犯緊急ライトとの作動操作の一体性を計り、人体に及ぶ異常の発生または侵入犯による言動の抑止下でも近隣・官憲を対象に報知・救済可能の防犯装置である。
【発明の詳細な説明】
【技術分野】
【０００１】      本発明は、屋内における人体の異常及び危険を屋外の人間に知らせることを目的とした防犯緊急ライトに関する。
【発明の概要】
【発明が解決しようとする課題】      現代の核家族化が進む過疎化・高齢化社会の中で、老若男女問わず人体に及ぶ異常が発生した時、または侵入犯に人々が言動を抑止され、密室化し、手の施しようもなく抑圧に怯える状況になった時、近隣・官憲に報知し、救済協力を求める以外にない。この解決策として、スイッチの操作を極限まで簡素化し、微動・無音で操作して、侵入犯の死角で防犯緊急ライトを作動させ近隣・官憲に報知し問題解決を計るものである。
【課題を解決するための手段】      本考案は、人体に及ぶ状態異常の発生、侵入犯の抑止の打破は、近隣へ救済の呼び掛けを行う以外にない。
この手段には、スイッチを指先の僅かな微動・無音の操作で、犯人の死角を利用しての、当考案の防犯異常ライトの操作は可能である。また、装置の作動が、近隣の人々に明確に視覚可能かが重要である。この条件を満たすため、点灯・点滅ライトを利用し、目立ち安く官憲誘導にも役立ち、そのために、ライトの設置は近隣に面する建物の高所外壁面とし、道路からも見える場所がよい。
(57)【要約】      （修正有）【課題】従来の電池等のように充電する必要がなく、リサイクル等の炭素物質で電気エネルギーができるクリーンな発電池を提供する。【解決手段】カーボンを主たる原料とし水と混合することで電荷を発生させる。カーボンには廃タイヤ又は建築廃材等から炭素化したもの、カーボンナノチューブが用いられる。水には一般水道水、淡水又はそれに付随するものを超臨界にかけ、成分をアルカリ性にし、分子レベル化した。発電池の構成として樹脂容器に繊維質状のものを詰め込んだ電気を取り出す方法。【選択図】なし【特許請求の範囲】
カーボンを主たる原料とする，交流及び直流発電装置。
【発明の詳細な説明】
本発明によれば，カーボンを主たる原料とし，発電装置を作ることにより，従来のバッテリー等のように充電する必要がなく，リサイクルの等の炭素物質で電気エネルギーが出来るクリーン・パワー・ジェネレーターである。
2010205712.tif 000002
2010205712.tif 000003
【手続補正書】
【提出日】平成21年5月8日(2009.5.8)
【手続補正２】
【補正対象書類名】明細書
【補正対象項目名】全文
【補正方法】変更
【補正の内容】
【発明の詳細な説明】
カーボンを主たる原料とする，直流及び交流の発電池
本発明によれば，カーボンを主たる原料とし水と混合し，電荷を発生させる
従来の電極は，無く電荷を取り込み，電気を取り出す為に，導電材を使用する
例えば交流・直流得る場合は，導電材の銅を片側の極板（直流は，プラス極）に，アルミを片側の極板（直流は，マイナス極）に使用し電気を得る
電荷の減少は，外部からの物理的又電気的な，微弱の衝撃を与える事で発生を継続し，従来の電池等のように充電する必要がなく，リサイクルの等の炭素物質で電気エネルギーが出来るクリーン・パワー・ジェネレーターである
水を加工したものに，カーボン・カーボンナノチューブを加えることにより電気が発生する
Ａ極及びＢ極に導電材を使い密封し，実験した結果，直流及び交流の電圧・電流の取り出し，もしくは発生に成功した
ＬＥＤランプの点灯にも成功している
水は一般水道水又は，淡水又は，それに付随するものを，超臨界にかけ成分をアルカリ性にし，分子レベル化したものを言う
このカーボンとは，廃タイヤ又は建築廃材と，その他付随するものを還流し，炭素化したものを言う
カーボンナノチューブは，一般に市場に出ている太さを言う
ビーガーに，水・カーボン・カーボンナノチューブをブレンドし攪拌した時，交流及び直流の電気が発生することが判明した
よって，樹脂容器に繊維質状の物を詰め込み染み込ませ，電気を取り出す方法を考えた
【図面の簡単な説明】
【図１】  概略図  発電池の基本構造
【図２】  平面図・側面図・立面図  本体  ▲Ａ▼槽▲Ｂ▼槽▲Ｃ▼槽▲Ｄ▼槽  水・カーボン・カーボンナノチューブをブレンド注入し電荷発生
【図３】  平面図・側面図・立面図  天板  ▲Ｅ▼Ａ極・▲Ｆ▼Ｂ極  電気を取り出す導電材接続口
【図４】  平面図・側面図・立面図  蓋  ▲Ｇ▼・▲Ｈ▼  ▲Ａ▼槽▲Ｂ▼槽▲Ｃ▼槽▲Ｄ▼槽を導電材接続口
【手続補正３】
【補正対象書類名】図面
【補正対象項目名】全図
【補正方法】変更
【補正の内容】
【図１】
2010205712.tif 000004
【図２】
2010205712.tif 000005
【図３】
2010205712.tif 000006
【図４】
2010205712.tif 000007
(57)【要約】      （修正有）【課題】電気コードをコンパクトに収納整理する。【解決手段】底蓋を２重にして、その中央に支軸付き回転体２が収まる空間を設けて、この空間に支軸付き回転体を嵌め込み、支軸の先端には手動で回す為の回転体４を取り付け、この回転体には、コードを支軸に巻き込む為に必要なコード掛け溝５を設け、支軸付き回転体と支軸の先端に取り付けた回転体は連動する事で支軸にコードを巻き込むようにした。巻き込んだ回転体は、キャツプでセツトされるので、従来のようなコードの余分な部分を紐などで束ねる必要もなくキャツプの中にコンパクトに収納され、キャツプの色を区別することで判別もでき、美的に優れ又能率的である。【選択図】図１
2010047417.tif 000002
【特許請求の範囲】
【請求項１】
電気コードの収納用の為の発明品で、底蓋と支軸と回転体とキャツプで構成されたものであるが、底蓋は２重になり下の部分と上の部分の中央には空間を設け、その空間に支軸付き回転体を設ける。この取り付けの作業は、回転体付き支軸に２重の底蓋の上の部分を差込み、次に底蓋の上下を合せ固定する。支軸の上部には手動用の回転体を取り付けるのであるがこの支軸にコードを巻き込むため底蓋と上部の回転体との間には充分なコード巻き込むスペスを設け、この回転体は手で回しコードを支軸に巻き込む為底蓋に取り付けた回転体よりかなり大きいもので、支軸にコードを巻き込んだらコードがみだれないようにキャツプでセツトした物を特徴とするコード収納整理具。
【請求項２】
底蓋は下部と上部に分れその中に支軸付き回転体を取り付ける。取り付けたら下部と上部を合せて固定する。底蓋の上の１部にコード用の溝をつけ、上部の回転体の１部にコードを巻くためのコード巻き用溝を設け、また全体を包む為のキャツプには２箇所にコード用の隙間を設けたことを特徴とするコード収納整理具。
【発明の詳細な説明】
【技術分野】
【０００１】電気コードをコンパクトに収納する為の発明品で底蓋を２重にしその中には支軸付き回転体が回転できる為の空間を設け、この支軸付き回転体は上部の回転体と伝動する事で支軸にコードを巻き込むようにした。
【背景の技術】
【０００２】従来はコードは余分な部分は紐で束ねたり、そのまま縺れたようにして置かれているのが普通であり、発明品のような物は現在見当らない。
【発明の開始】
【発明が解決しようとする課題】
【０００３】従来までの問題点
（１）  コードを使用する箇所により、余分な部分は紐などで束ねて結んだり、そのままの状態で置かれていたので、コードに躓き、又仕事のうえで障害であった。
（２）  従来は例えば５ｍのもので余分な部分は束ねたり、そのままの状態で使用されていたが、発明品があれば必要に応じ伸縮が出来るので無駄なくコードの利用が出来て、美的に優れ危険防止と、能率的でもある。
【課題を解決する為の手段】
【０００４】発明品のコード収納整理具の底の部分は下蓋と上蓋を重ね合わせたものでその両蓋の中の部分に回転体用の空間を設け回転体には支軸を固定し上蓋の中心の穴を支軸が通りその支軸の先に手動用の回転体を固定する。手動用の回転体を回すことによりコードは支軸に巻かれて、必要な部分だけが収納ケースよりのびて使用出来るので従来のような煩雑さもなく多くの利点がある。またコードを回転体で巻きやすくする為に手動用の回転体の一箇所にコード巻き用溝を設け、収納ケースの底の部分にもコード止めの溝をつけ、キャツプが綺麗に蓋が出来る為の隙間を設けた。
【発明の効果】
【０００５】コードをコンパクトに収納することで有る程度の長いものでも必要に応じて自由に伸縮が出来るので無駄がなく整理の上でも役立ち、多くの電気製品の各コードもキャツプの色を区別する事で使用コードの判別も容易であり、美的にも優れた効果をもたらす事が出来る。
【発明を実施するための最良の形態】
【０００６】本発明品はコードを収納整理具に収納するもので、コードを必要なだけ伸縮ができので、ある程度の長さのコードがあればその範囲で自由に使用ができ経済的でもある。今日のように電気製品を多く使う時代では、コードが煩雑で整理上苦労するが、発明品の使用によりコードの整理も簡単にでき美的にも優れキャツプの色分けをすることでコードの仕分けと判別が簡単にでき能率的でもある。
【実施例】
【０００７】本発明品のような類似した物はないので、ダンボウルなどで試作品にて使用したところ、簡単に回転体を回して支軸にコードを巻き込むことが出来た。
【産業上の利用可能性】
【０００８】電気製品は、現在は、生活上の必儒品であるから特に室内の狭いところでは発明品のような整理品は貴重であり整理することで能率も上るだけに産業上の利用価値は極めて大きものがある。
【図面の簡単な説明】
【０００９】
【図１】本発明の部品図
【図２】本発明のキャツプとコード用窓図
【図３】本発明のキャツプした図
【図４】本発明の斜視図
【符号の説明】
【０００１０】１  底蓋Ａ
２  支軸付き回転体（イ）オスネジ
３  底蓋Ｂ
４  回転体（ロ）メスネジ
５  コード巻き用溝
６  コード止め溝
７  キャツプとコード窓
８  底蓋Ａ、Ｂのネジ止め
【図１】
2010047417.tif 000003
【図２】
2010047417.tif 000004
【図３】
2010047417.tif 000005
【図４】
2010047417.tif 000006